(57)【要約】【課題】点眼時に安定に正確に点眼することができる目薬容器を提供する。【解決手段】一端部に注出口１６が形成された容器本体１２と、注出口１６に取り付けられたヒンジキャップ２０とから成る。ヒンジキャップ２０は、注出口１６に連通するノズル部２８を有するキャップ本体２２と、ノズル部２８を開閉自在に覆う蓋２４と、キャップ本体２２と蓋２４とを連結しノズル部２８の基端側に位置したヒンジ部２６とを有する。ヒンジキャップ２０は、蓋２４を閉じた状態からキャップ本体２２に対して１８０°未満の所定角度、例えば９０°に開いた状態であって、ノズル部２８の突出方向にノズル部２８の先端から一定間隔の位置に蓋２４の端部が位置するように蓋２４を係止する第一係止手段４２，５２を備える。【選択図】        図１
2005022673.tif 000002
【特許請求の範囲】
【請求項１】
一端部に注出口が形成された容器本体と、上記注出口に取り付けられたヒンジキャップとから成り、上記ヒンジキャップは、上記注出口に連通するノズル部を有するキャップ本体と、上記ノズル部を開閉自在に覆う蓋と、上記キャップ本体と上記蓋とを連結し上記ノズル部の基端側に位置したヒンジ部と、上記蓋の上面部内側に形成され上記ノズル部に当接する栓と、上記蓋を閉じた状態から上記キャップ本体に対して１８０°未満の所定角度開いた状態であって、上記ノズル部の突出方向に上記ノズル部先端から一定間隔の位置に上記蓋部の端部が位置するように上記蓋部を係止する第一係止手段が設けられていることを特徴とする目薬用容器。
【請求項２】
上記蓋を閉じた状態から上記キャップ本体に対して１８０°以上の所定角度開いた状態で、上記蓋を係止する第二係止手段が設けられていることを特徴とする請求項１記載の目薬用容器。
【請求項３】
上記第一係止手段は、上記蓋の上記ヒンジ部の内側に形成され上記蓋の端面から突出する第一蓋係止部と、上記キャップ本体の上記ヒンジ部の内側に形成され上記第一蓋係止部が収容される空間と、上記空間の上記ヒンジ部と反対側の端縁部に設けられ上記第一蓋係止部に向かって突出する第一本体係止部と、上記第一本体係止部の先端部に設けられ上記蓋が所定角度に開いたときに上記第一蓋係止部が嵌合され係止される係合凹部と、上記係合凹部の上方に形成され上記第一蓋係止部側にわずかに突出する膨出部が設けられていることを特徴とする請求項１記載の目薬容器。
【請求項４】
上記第二係止手段は、上記蓋の上記ヒンジ部よりも上方の外側面に形成され側方へ突出する第二蓋係止部と、上記キャップ本体の上記ヒンジ部よりも下方の外側面に形成され上記蓋が上所定角度に開いたときに上記第二蓋係止部が係止される第二本体係止部が設けられていることを特徴とする請求項２記載の目薬容器。
【発明の詳細な説明】
【０００１】
【発明の属する技術分野】
この発明は、液体の目薬を収容し、使用時には逆さまにして目薬を眼球に滴下する目薬容器に関する。
【０００２】
【従来の技術】
【特許文献１】特開２００２−３６２６０３号公報
従来、液体の目薬を収容する目薬容器は、目薬を収容する容器本体が設けられ、この容器本体は、適度な弾力を有する合成樹脂で作られ、点眼時に容器本体を押圧すると弾性変形し容器本体内の圧力を上げることができるように形成されている。そして容器本体の一端部には円筒状等の注出口が形成され、この注出口には細長いノズル部を有する中栓が取り付けられ、さらにこの中栓を覆う別体のキャップが、ネジ等で取り付けられている。
【０００３】
しかし、このような目薬容器は、容器本体とキャップを両手で各々保持して、係合と係合解除を行うものであり、キャップを落としたり紛失してしまうことがあり、また、開閉操作に両手を使うため扱いが面倒であった。また、キャップを他の場所へ置くときに、置く場所が汚いと不衛生であり薬液内に菌が繁殖したり、目に雑菌が入る恐れもあった。
【０００４】
これを解決するため、キャップが中栓と一体に設けられているものとして、本願出願人による特開２００２−３６２６０３号公報の目薬用容器がある。これは、ノズル部を有するキャップ本体と、上記ノズル部を開閉自在に覆う蓋と、上記キャップ本体と上記蓋とを連結し上記ノズル部の基端側に位置したヒンジ部と、上記蓋が開蓋状態のときに上記蓋を係止する係合手段が設けられているものである。この目薬容器は、蓋がヒンジ部を介してキャップ本体に連結されて紛失や汚染の恐れがなく、所定角度の開蓋状態で保持され点眼時に支障とならず、操作性の良いものである。
【０００５】
【発明が解決しようとする課題】
上記のいずれの目薬容器も、顔を上に向けて薬液の点眼を行うものであるが、ノズルを眼球の真上に位置させることが難しく、薬液が眼球を外れて瞼等に滴下されてしまうことがある。これは薬液を滴下する場合、目薬用容器を持つ手を眼球に対して正確に位置決めできないためであり、何度も薬液を点眼する必要が生じ薬液が無駄となる。
【０００６】
この発明は上記従来の問題点に鑑みてなされたものであり、点眼時に安定に正確に点眼することができる目薬容器を提供することを目的とする。
【０００７】
【課題を解決するための手段】
この発明は、一端部に注出口が形成された容器本体と、上記注出口に取り付けられたヒンジキャップとから成り、上記ヒンジキャップは、上記注出口に連通するノズル部を有するキャップ本体と、上記ノズル部を開閉自在に覆う蓋と、上記キャップ本体と上記蓋とを連結し上記ノズル部の基端側に位置したヒンジ部と、上記蓋の上面部内側に形成され上記ノズル部に当接する栓と、上記蓋を閉じた状態から上記キャップ本体に対して１８０°未満の所定角度、例えば９０°に開いた状態であって、上記ノズル部の突出方向に上記ノズル部先端から一定間隔の位置に上記蓋部の端部が位置するように上記蓋部を係止する第一係止手段が設けられている目薬容器である。そして、上記蓋を閉じた状態から上記キャップ本体に対して１８０°以上の所定角度開いた状態で、上記蓋を係止する第二係止手段が設けられている。
【０００８】
また、上記第一係止手段は、上記蓋の上記ヒンジ部の内側に形成され上記蓋の端面から突出する第一蓋係止部と、上記キャップ本体の上記ヒンジ部の内側に形成され上記第一蓋係止部が収容される空間である空間と、上記空間の上記ヒンジ部と反対側の端縁部に設けられ上記第一蓋係止部に向かって突出する第一本体係止部と、上記第一本体係止部の先端部に設けられ上記蓋が所定角度に開いたときに上記第一蓋係止部が嵌合され係止される係合凹部と、上記係合凹部の上方に形成され上記第一蓋係止部側にわずかに突出する膨出部が設けられている。
【０００９】
また、上記第二係止手段は、上記蓋の上記ヒンジ部よりも上方の外側面に形成され側方へ突出する第二蓋係止部と、上記キャップ本体の上記ヒンジ部よりも下方の外側面に形成され上記蓋が所定角度に開いたときに上記第二蓋係止部が係止される第二本体係止部が設けられている。なお、上記蓋を閉じた状態で、上記第二蓋係止部はほぼ上記容器本体下方に向かって突出している。
【００１０】
この発明の目薬容器は、蓋をキャップ本体に対して例えばほぼ９０°開けた状態で、第一係止手段で係止し、蓋をガイドとして目の周囲の皮膚に接触させ、ノズル部を眼球の真上に位置決めし、正確に目薬の薬液を眼球に滴下することができるものである。また、蓋をガイドとして使用しない場合は、蓋を１８０°以上開けた状態で保持し、使用者に接触せず、支障なく使用することができる。
【００１１】
【発明の実施の形態】
以下、この発明の実施形態について図面に基づいて説明する。図１〜図４は、この発明の一実施形態を示すもので、この実施形態の目薬容器１０は、適度な柔軟性を有する容器本体１２が設けられている。容器本体１２は有底であり、容器本体１２の上端部には、容器本体１２の上端開口部を閉鎖する肩部１４が形成され、肩部１４の中央には円筒状の注出口１６が一体に形成されている。注出口１６の基端部外側には、後述するヒンジキャップ２０が取り付けられる溝部１８が一周して形成されている。
【００１２】
そして、注出口１６には、容器本体１２の肩部１４から上方部分を覆うヒンジキャップ２０が設けられている。ヒンジキャップ２０は、適度な可撓性を有する合成樹脂で形成され、容器本体１２に取り付けられるキャップ本体２２と、キャップ本体２２に後述するヒンジ部２６で一体に接続されて形成された蓋２４が設けられている。蓋２４は、ヒンジ部２６を回動中心として開閉される。
【００１３】
キャップ本体２２には、図１に示すように注出口１６に連通する円錐状のノズル部２８が設けられている。ノズル部２８の先端には、細い透孔３１が設けられている。ノズル部２８の内側下端部には、注出口１６の内側に差し込まれる筒状の取付部３０が設けられている。ノズル部２８の内側下端部の、取付部３０の外側には、注出口１６を囲む筒状の係止部３２が同心的に設けられている。係止部３２の先端の内周面には、容器本体１２の注出口１６に形成された溝部１８に嵌合される突部３４が一周して設けられている。また、透孔３１の取付部３０側は、円筒状の中空部３３となって、注出口１６内に連通している。
【００１４】
キャップ本体２２の、ノズル部２８の基端部２８ａ側は係止部３２の外側に円板状に広がり、基端部２８ａには下方に下がる段部３６が一周して形成されている。段部３６の外周縁部には、容器本体１２の側面に隣接する円筒状の側面部３８が一周して設けられている。側面部３８の一部には蓋２４に連結したヒンジ部２６が設けられている。ヒンジ部２６は一対の同じ形状の薄肉板が互いに平行に設けられている。一対のヒンジ部２６の間はノズル部２８の基端部２８ａが切り欠かれ、ノズル部２８と側面部３８の間に空間４０が形成されている。空間４０は、キャップ本体２２の係止部３２と側面部３８の間に連通している。
【００１５】
空間４０の、ノズル部２８側の端縁部４０ａには、外側つまりノズル部２８から離れる方向へ向かって突出する第一本体係止部４２が一体に形成されている。第一本体係止部４２は、後述する第一蓋係止部５２と共に、第一係止手段を構成する。第一本体係止部４２は、空間４０の端縁部４０ａよりも少し高い位置に折り曲げられて設けられ、蓋２４が開くときに蓋２４の第一蓋係止部５２先端が通過するときに当接するものである。そして第一本体係止部４２の先端面は、ノズル部２８の円周方向に沿う平面で形成され、先端面のほぼ中央には、ノズル部２８の挿通方向に対してほぼ直角につまりほぼ水平に溝状の係合凹部４４が設けられている。係合凹部４４の上部分は係合凹部４４の下部分よりも突出した膨出部４５となっている。
【００１６】
キャップ本体２２の側面部３８には、一対のヒンジ部２６の中間下方に、第二本体係止部４６が形成されている。第二本体係止部４６は、後述する第二蓋係止部５４と共に、第二係止手段である。第二本体形止部４６は、側方に突出し先端は下方に折り曲げられた小形で薄形の突起であり、第二本体係止部４６のすぐ下方には、後述する第二蓋係止部５４が差し込まれる凹部４８が側面部３８に形成されている。また、段部３６の、ヒンジ部２６と反対側には、蓋２４を閉じた状態で係止する係合凹部５０が形成されている。
【００１７】
そして、蓋２４はキャップ本体２２の側面部３８に隣接し、ノズル部２８の長さよりも深い有底筒形に形成されている。蓋２４の開口縁である端部２４ａの一部には一対のヒンジ部２６の先端が設けられ、ヒンジ部２６の間でヒンジ部より内側には、蓋２４の内壁の延長上に蓋２４の端部２４ａに対してほぼ直角に突出する舌片である第一蓋係止部５２が設けられている。第一蓋係止部５２は、蓋２４を開いたときにノズル部２８の第一本体係止部４２の係合凹部４４に嵌合される長さに形成されている。また、キャップ本体２２の側面外側には、ヒンジ部２６の中間上方に、キャップ本体２２の第二本体係止部４６に係止される第二蓋係止部５４が一体に形成されている。第二蓋係止部５４は、側方へ突出し下方に向かう小形で薄形の突起である。そして蓋２４の、ヒンジ部２６と反対側の端部２４ａ寄りの内壁には、ノズル部２８の段部３６に形成された係合凹部５０に嵌合される係合突起５６が一体に形成されている。蓋２４の上面部５８内側には、蓋２４がキャップ本体２２に閉じられたときにノズル部２８の透孔３１に差し込まれる細い円柱状の栓６０が一体に設けられている。栓６０の先端は差し込みやすいように半球状に形成されている。
【００１８】
次に、この実施形態の目薬容器１０の使用方法について説明する。容器本体１２に、薬液の目薬を入れ、容器本体１２の注出口１６に、ヒンジキャップ２０を取り付ける。このとき、ヒンジキャップ２０のキャップ本体２２に形成された取付部３０と係止部３２間に、容器本体１２の注出口１６を差し込んで押しつける。すると、キャップ本体２２の係止部３２が外側に弾性変形し、係止部３２の突部３４が注出口１６の溝部１８に位置したとき、突部３４が注出口１６の溝部１８に嵌合されて係止部３２の弾性変形が元に戻り、キャップ本体２２は容器本体１２に密接して係止される。そして、蓋２４は、キャップ本体２２の開口を閉じ、蓋２４の係合突起５６がキャップ本体２２の段部３６に形成された係合凹部５０に嵌合され、係止される。このとき栓６０のノズル部２８の透孔３１に差し込まれ水密に閉鎖する。
【００１９】
容器本体１２から内容物の薬液を取り出すときは、蓋２４を押し上げて蓋２４の係合突起５６とキャップ本体２２の係合凹部５０の係合を解除し、ヒンジ部２６を回転軸として蓋２４を閉めた位置からほぼ９０°回転させる。そして、蓋２４の第一蓋係止部５２がキャップ本体２２の第一本体係止部４２に当接してわずかに弾性変形し、係合凹部４４に挿し込まれたときに弾性変形が元に戻り、係合凹部４４に係止される。これにより、蓋２４は、ノズル部２８の挿通方向に対して端部２４ａがほぼ平行に開いた状態で保持される。そして点眼する際に、容器本体１２を眼球に対してほぼ直角になるように保持し、蓋２４の外側面を目の近傍の顔表面に当て、ノズル部２８が眼球を向くように位置決めする。この後、顔面を上に向け、容器本体１２の側面を軽く押し、ノズル部２８の先端から目薬を滴下させる。
【００２０】
必要量を滴下した後、蓋２４を閉める方向へ押す。すると、第一蓋係止部５２が弾性変形して第一本体係止部４２の係合凹部４４から外れて係合が解除され、キャップ本体２２に閉じる。
【００２１】
また、点眼するときに蓋２４のガイドが不要なときは、蓋２４の第一蓋係止部５２がキャップ本体２２の第一本体係止部４２に係止された状態からさらに蓋２８を開くと、蓋２８の第一蓋係止部５２が弾性変形して第一本体係止部４２の膨出部４５を乗り越えて係合が解除され、より広い角度に開く。そして、１８０°以上回転させ、蓋２４の第二蓋係止部５４は、キャップ本体２２の第二本体係止部４６に係止される。これにより、蓋２４はノズル部２８の下方でキャップ本体２２に対して所定角度に開いた状態で保持され、薬液を眼球に滴下するとき、支障とならない。
【００２２】
この実施形態の目薬容器１０によれば、目薬の薬液を点眼するとき、蓋２４をガイドとして目の周囲の顔面に接触させるため、ノズル部２８を眼球の真上に位置決めしやすくなり、正確に目薬の薬液を眼球に滴下することができる。従って、子供や体の不自由な人でも、手が揺れて位置ずれすることを押さえ、目薬容器の位置が移動してしまうことがなく、簡単に点眼することができる。蓋２４をガイドとして使用しない場合は、蓋２４を１８０°以上、つまりノズル部２８の突出方向から９０°以上開いた状態で保持することができ、使用者に接触せず邪魔にならない。蓋２４は、ガイドとしての保持位置と、ガイドとしない位置を簡単に変えることができ、使用しやすいほうを選択することができる。第二蓋係止部５４と第二本体係止部４６は小形で下向きに形成されているため、目薬容器１０を包装用の熱収縮フィルムの袋や筒に挿入するとき、ヒンジキャップ２０側から円滑に差し込むことができ、熱収縮フィルムを破損させたりすることがない。また、蓋２４がヒンジ部２６でキャップ本体２２に連結されているため、蓋２４を紛失することがなく、また点眼操作時に手に保持している必要がなく、便利である。
【００２３】
なお、この発明の目薬容器は、上記実施形態に限定されるものではなく、各部材の形状や素材等、自由に変更可能である。ヒンジキャップと容器本体の取り付け方法は、ネジ式など自由に変更可能である。
【００２４】
【発明の効果】
この発明の目薬容器は、蓋を点眼時のガイドとして使用することができ、子供や体が不自由な人でも正確に目薬の薬液を眼球に滴下することができる。また、蓋は、ガイドとして使用しない場合は、１８０°以上開いた状態で保持することができ、必要に応じて２通りの保持位置を選択することができる。
【図面の簡単な説明】
【図１】この発明の一実施形態の目薬容器の、蓋をキャップ本体に閉じた状態を示す部分破断縦断面図である。
【図２】この実施形態の目薬容器の、蓋をキャップ本体から開けガイドとして保持した状態を示す部分破断縦断面図である。
【図３】この実施形態の目薬容器の、蓋をキャップ本体から開けガイドとして使用しないように保持した状態を示す部分破断断面図である。
【図４】この実施形態の目薬容器の、蓋をガイドとして使用して点眼している状態を示す斜視図である。
【符号の説明】
１０  目薬容器
１２  容器本体
１４  肩部
１６  注出口
１８  溝部
２０  ヒンジキャップ
２２  キャップ本体
２４  蓋
２６  ヒンジ部
２８  ノズル部
３０  取付部
３２  係止部
３３  中空部
３４  突部
３６  段部
３８  側面部
４０  空間
４２  第一本体係止部
４４  係合凹部
４６  第二本体係止部
４８  凹部
５０  係合凹部
５２  第一蓋係止部
５４  第二蓋係止部
５６  係合突起
５８  上面部
６０  栓
【図１】
2005022673.tif 000003
【図２】
2005022673.tif 000004
【図３】
2005022673.tif 000005
【図４】
2005022673.tif 000006